(57)【特許請求の範囲】
【請求項１】
集塵室と、電動送風機とを備えた掃除機本体と、
掃除機用吸込具と、
前記掃除機本体と前記掃除機用吸込具とを連結するホースユニットとを有する電気掃除機であって、
前記ホースユニットは、ホースと、該ホースの一端に設けられた連結部材Ａと、他端に設けられた連結部材Ｂを有し、
前記連結部材Ａは、前記掃除機用吸込具と連結するとともに、前記ホースを固定する固定部Ａを有し、
前記連結部材Ｂは、前記掃除機本体と連結するとともに、前記ホースを固定する固定部Ｂを有し、
前記掃除機本体と前記掃除機用吸込具は各々把持部を有し、
設置状態では、前記掃除機用吸込具の把持部は、前記固定部Ａより下方に位置し、前記掃除機本体の把持部は、前記固定部Ｂより上方に位置していることを特徴とする電気掃除機。
【請求項２】
ホースの露出部の長さは、５０ｃｍ以上８０ｃｍ以下の範囲内であることを特徴とする請求項１に記載の電気掃除機。
【発明の詳細な説明】
【技術分野】
【０００１】
本発明は、被清掃面として特に布団等に付着した塵埃、ダニ等を除去する用途に適した電気掃除機に関するものである。
【背景技術】
【０００２】
従来から、様々な構造の電気掃除機が開発されており、特に布団に付着した塵埃やダニ等の除去を行う用途のものとしては、内部に位置して空気を吸引するモータと、モータの空気吸引のために後方に形成された吸込口と、異物を吸引するために前方に形成された吸着部と、この吸着部に形成された異物排出口とを有する本体と、両端が吸込口と異物排出口とに結合され、吸引通路の役割をする吸引ホースと、吸着部に結合されて織物及び掃除部のほこりを叩くためのブラシモータで駆動するブラシとを備えた構造の電気掃除機が知られている（特許文献１）。
【０００３】
また、操作部と、この操作部に接続されたホースと、このホースに接続された掃除機接続管により構成された手元パイプが、電気掃除機の本体と伸縮パイプとの間に設けられ、伸縮パイプが、手元パイプと床面掃除具との間に接続されている構造の電気掃除機も知られている（特許文献２の図２４等）。
【先行技術文献】
【特許文献】
【０００４】
【特許文献１】特開２００９−６１２７３号公報
【特許文献２】特開２０１３−２２０６４号公報
【発明の概要】
【発明が解決しようとする課題】
【０００５】
しかしながら、上記特許文献１に記載された電気掃除機は、吸込口と電気掃除機本体とが一体となっていることから、所定の吸引力を維持するためには所定の重量が必要となり、布団等を掃除する場合に、使用者の腕に負荷が加わるものとなっていた。
【０００６】
一方、特許文献２に記載された電気掃除機は、ホースによって操作部と電気掃除機本体とが連結されていることから、使用者の腕に加わる負荷は軽減されるものである。しかしながら、使用者が一方の手で操作部を操作して、被清掃面を移動している時に、ホースが布団等の被清掃面に接触していることから、他方の手でホースを持ち上げる動作と、掃除機本体の位置を移動させる動作とが必要となり、清掃作業が煩わしいものとなっていた。
【０００７】
本発明は、前記従来の課題を解決するものであり、被清掃面が布団等の場合であっても掃除機本体と掃除機用吸込具とを連結するホースが被清掃面に接触するのを防ぎ、清掃作業の作業性を向上させると共に、ホース表面に付着した塵埃で被清掃面を汚さずに清掃することができる電気掃除機を提供することを目的とする。
【課題を解決するための手段】
【０００８】
前記従来の課題を解決するために、請求項１の発明は、集塵室と、電動送風機とを備えた掃除機本体と、掃除機用吸込具と、前記掃除機本体と前記掃除機用吸込具とを連結するホースユニットとを有する電気掃除機であって、前記ホースユニットは、ホースと、該ホースの一端に設けられた略くの字状の連結部材を有し、該連結部材は前記掃除機用吸込具に対して回動可能に連結されているものであって、前記連結部材には前記ホースを固定する固定部を有し、該固定部の前記ホース側への延長線が、前記掃除機用吸込具の設置面と平行又は、平行より上方の範囲で移動するように連結部材が回動可能であることを特徴としている。
【００１０】
請求項１の発明は、集塵室と、電動送風機とを備えた掃除機本体と、掃除機用吸込具と、前記掃除機本体と前記掃除機用吸込具とを連結するホースユニットとを有する電気掃除機であって、前記ホースユニットは、ホースと、該ホースの一端に設けられた連結部材Ａと、他端に設けられた連結部材Ｂを有し、前記連結部材Ａは、前記掃除機用吸込具と連結するとともに、前記ホースを固定する固定部Ａを有し、前記連結部材Ｂは、前記掃除機本体と連結するとともに、前記ホースを固定する固定部Ｂを有し、前記掃除機本体と前記掃除機用吸込具は各々把持部を有し、設置状態では、前記掃除機用吸込具の把持部は、前記固定部Ａより下方に位置し、前記掃除機本体の把持部は、前記固定部Ｂより上方に位置していることを特徴としている。
【００１１】
したがって、ホースの一端に設けられた連結部材Ａの固定部Ａが、掃除機用吸込具の把持部より上方に位置し、ホースの他端に設けられた連結部材Ｂの固定部Ｂが、掃除機本体の把持部より下方に位置していることとなるので、ホースが布団等の被清掃面に接触するのを防ぐことができ、清掃作業の作業性を向上させると共に、ホース表面に付着した塵埃で被清掃面を汚さずに清掃することができる。
【００１２】
請求項２の発明は、請求項１又は２の発明において、ホースの露出部の長さは、５０ｃｍ以上８０ｃｍ以下の範囲内であることを特徴としている。したがって、ホースの露出部の長さを所定の長さに限定することによって、ホースが布団等の被清掃面に接触するのを確実に防ぐことができる。
【発明の効果】
【００１３】
請求項１の発明では、ホースが布団等の被清掃面に接触するのを防ぐことができ、清掃作業の作業性を向上させると共に、ホース表面に付着した塵埃で被清掃面を汚さずに清掃することができる。
【００１４】
また、請求項２の発明は、ホースの露出部の長さを所定の長さに限定することによって、ホースが布団等の被清掃面に接触するのを確実に防ぐことができる。
【図面の簡単な説明】
【００１５】
【図１】本発明に係る電気掃除機を示す斜視図
【図２】本発明に係る電気掃除機を示す平面図
【図３】本発明に係る電気掃除機を掃除機用吸込具側から見た図
【図４】（ａ）（ｂ）掃除機用吸込具とホースユニットの連結状態を示す説明図
【図５】本発明に係る電気掃除機の使用状態を示す説明図
【発明を実施するための形態】
【００１６】
以下、本発明の実施形態について、図面を参照しながら説明する。なお、この実施の形態によって本発明が限定されるものではない。
【００１７】
図１は、本発明に係る電気掃除機を示す斜視図であり、図２は、同平面図、図３は、図１に示す電気掃除機を掃除機用吸込具側から見た図である。これらの図を用いて本発明に係る電気掃除機を詳細に説明する。本発明に係る電気掃除機１０は、図示しない集塵室と、電動送風機とを備えた掃除機本体１と、掃除機用吸込具２と、掃除機本体１と掃除機用吸込具２とを連結するホースユニット３とを有している。
【００１８】
ホースユニット３は、ホース４と、ホース４の一端に設けられた略くの字状の連結部材Ａ５とを有しており、連結部材Ａ５は、掃除機用吸込具２に対して回動可能に連結されている。また、連結部材Ａ５は、ホース４を固定する固定部Ａ６を有している。そして、固定部Ａ６のホース４側への延長線Ｘが、掃除機用吸込具２の設置面と平行より上方の範囲で移動するように連結部材Ａ５が回動可能となっている（図３参照）。
【００１９】
尚、固定部Ａ６のホース４側への延長線Ｘを掃除機用吸込具２の設置面と平行とした場合でもホース４が布団等の被清掃面に接触するのを防ぐことができることから、この場合も本発明に含まれる。
【００２０】
次に、ホースユニット３は、ホース４の他端に設けられた連結部材Ｂ７を有しており、連結部材Ｂ７は、掃除機本体１と連結するとともに、ホース４を固定する固定部Ｂ８を有している。
【００２１】
そして、掃除機本体１と掃除機用吸込具２は各々把持部１ａ、２ａを有しており、電気掃除機１０を設置した状態（使用する状態）では、掃除機用吸込具２の把持部２ａは、固定部Ａ６より下方に位置し、掃除機本体の把持部１ａは、固定部Ｂ８より上方に位置するようにしている。これにより、ホース４が、布団等の被清掃面に接触するのを防ぐことができ、清掃作業の作業性を向上させることができる。
【００２２】
尚、ホース４の固定部Ａ６及び固定部Ｂ８を含まない露出部の長さは、５０ｃｍ以上８０ｃｍ以下の範囲内とすることができる。清掃中、ホース４の露出部の長さが最も必要なのは掃除機本体１と掃除機用吸込具２が真横に並んだ状態、すなわち、掃除機本体１の把持部１ａの長手方向と掃除機用吸込具２の把持部２ａの長手方向が平行で、かつ、連結部材Ｂ７が掃除機本体１の前方側に、連結部材Ａ５が掃除機用吸込具２の後方側となるよう掃除機本体１と掃除機用吸込具２を横並びにした配置である。また、男性の平均肩幅が約４５ｃｍ、女性の平均肩幅が約４０ｃｍである。そのため、前述の配置で、図５に示すように両手で把持部１ａおよび把持部２ａを持って掃除機用吸込具２を前後に移動させる場合、ホース４の露出部の長さは前述の５０ｃｍ以上８０ｃｍ以下である必要がある。露出部の長さが５０ｃｍ以下であるとホース４が短すぎて掃除機用吸込具２を前後に移動させるのが困難であり、８０ｃｍ以上であるとホース４が長すぎて被清掃面と接触してしまう。このように、この範囲内にホース４の露出部の長さを限定することによって、布団等を清掃する場合に、ホース４が布団等の被清掃面に接触するのを確実に防ぐことができ、清掃作業の作業性を向上させることができる。
【００２３】
図４（ａ）及び（ｂ）は、図１に示す矢印C側から掃除機用吸込具を見た図であり、図４（ａ）は、ホースを図面上、最も左に回動させた状態を示し、図４（ｂ）は、ホースを図面上、最も右に回動させた状態を示している。また、図５は、使用者が、本発明に係る電気掃除機を使用している状態を示している。これらの図を用いて本発明に係る電気掃除機の使用態様について説明する。
【００２４】
電気掃除機１０の使用者は、一方の手で掃除機用吸込具２の把持部２ａを把持し、他方の手で掃除機本体１の把持部１ａを把持して清掃を行うことができる。尚、掃除機本体１は、被清掃面又は被清掃面の近傍に載置しておくことができるので、使用者は、常に把持部１ａを把持している必要はなく、掃除機用吸込具２の移動に伴って掃除機本体１を移動させる場合に把持部１ａを把持して掃除機本体１を移動させればよいものである。
【００２５】
ホースユニット３を構成する連結部材Ａ５は、ホース４が把持部２ａを把持する使用者の腕に干渉しないように回動範囲を設定している。即ち、図４（ａ）に示すホース４を図面上、最も左に回動させた状態から、掃除機用吸込具２の前方側に回動させて、図４（ｂ）に示すホース４を図面上、最も右に回動させた状態へと至るようにしており、ホース４が図面上、下半分側に回動させることはできないように回動範囲を設定している。
【００２６】
前述のとおり、本発明に係る電気掃除機１０は、ホース４が、布団等の被清掃面に接触するのを防ぐことができると共に、ホース４が把持部２ａを把持する使用者の腕に干渉しないようにすることができるので、清掃作業の作業性を一層向上させると共に、ホース表面に付着した塵埃で被清掃面を汚さずに清掃することができる。
【産業上の利用可能性】
【００２７】
本発明に係る電気掃除機は、主に、布団等の被清掃面に付着した塵埃やダニ等を除去するための電気掃除機として利用される。
【符号の説明】
【００２８】
１  掃除機本体
１ａ、２ａ  把持部
２  掃除機用吸込具
３  ホースユニット
４  ホース
５  連結部材Ａ
６  固定部Ａ
７  連結部材Ｂ
８  固定部Ｂ
１０  電気掃除機
Ｘ  延長線
【図１】
0006632875.tif 000002
【図２】
0006632875.tif 000003
【図３】
0006632875.tif 000004
【図４】
0006632875.tif 000005
【図５】
0006632875.tif 000006